(57)【要約】  ロック形成部における干渉に起因した短冊片の変形を抑制する断熱用スリーブを提供すること。  短冊片１２１、１２２よりも上部または下部をスライドさせ複数の短冊片１２１、１２２を屈曲または湾曲させて外周側に突出させることで断熱把持部が形成される断熱用スリーブ１２０であって、複数の短冊片１２１、１２２は、第１短冊片１２１と第２短冊片１２２とを交互に配置して成り、スリット１３０の少なくとも１つは、短冊片１２１、１２２に凸部１２７および凹部１２８を形成するロック形成部１３１を有し、各短冊片１２１、１２２は、その上下に位置する部位よりも左右の幅を狭く形成された幅狭部を有し、山折部１２４、１２６は、各短冊片１２１、１２２の幅狭部に形成されている断熱用スリーブ１２０。
2015133034.tif 000002
【特許請求の範囲】
【請求項１】
容器本体の胴部外周面に装着され、高さ方向の一定範囲の上下方向に複数の短冊片を形成する複数のスリットを有し、前記複数の短冊片を屈曲または湾曲させて外周側に突出させることで断熱把持部が形成される断熱用スリーブであって、
前記複数の短冊片は、谷折部を上端に有するとともに山折部を上方近辺に有した第１短冊片と、谷折部を下端に有するとともに山折部を下方近辺に有した第２短冊片とを交互に配置して成り、
前記スリットの少なくとも１つは、左右の短冊片の山折部の中間領域において、前記短冊片に凸部および凹部を形成するロック形成部を有し、
前記各短冊片は、その上下に隣接する部位よりも左右の幅を狭く形成された幅狭部を有し、
前記山折部は、前記各短冊片の幅狭部に形成されていることを特徴とする断熱用スリーブ。
【請求項２】
前記短冊片の左側のスリットは、前記短冊片の谷折部付近に形成された第１左側スリット部と、前記短冊片の左側に位置する短冊片の谷折部付近に形成された第２左側スリット部とを有し、
前記短冊片の右側のスリットは、前記短冊片の谷折部付近に形成された第１右側スリット部と、前記短冊片の右側に位置する短冊片の谷折部付近に形成された第２右側スリット部とを有し、
前記第１左側スリット部を延長した仮想延長線と前記短冊片の谷折部を延長した仮想延長線との交点と、前記第２左側スリット部を延長した仮想延長線と前記短冊片の左側に位置する短冊片の谷折部を延長した仮想延長線との間の交点とを結んだラインを左側仮想ラインと規定し、
前記第１右側スリット部を延長した仮想延長線と前記短冊片の谷折部を延長した仮想延長線との交点と、前記第２右側スリット部を延長した仮想延長線と前記短冊片の右側に位置する短冊片の谷折部を延長した仮想延長線との間の交点とを結んだラインを右側仮想ラインと規定した場合、
前記山折部の左右の幅は、前記山折部の延在方向における、前記左側仮想ラインと右側仮想ラインとの間の寸法よりも短いことを特徴とする請求項１に記載の断熱用スリーブ。
【請求項３】
前記山折部は、上下の部位を連結する連結部と、前記山折部の左右両端の少なくとも一方に形成された切込部とを有することを特徴とする請求項１または請求項２に記載の断熱用スリーブ。
【請求項４】
前記山折部の連結部の幅は、その山折部が形成された短冊片の各部の幅のうち最も短く形成されていることを特徴とする請求項１乃至請求項３のいずれかに記載の断熱用スリーブ。
【請求項５】
前記複数のスリットは、前記ロック形成部を有したスリットと、前記ロック形成部を有さないスリットとを含み、
前記ロック形成部を有さないスリットは、少なくとも一部分に曲線部を有することを特徴とする請求項１乃至請求項４のいずれかに記載の断熱用スリーブ。
【請求項６】
前記山折部および谷折部の少なくとも一方には、折り癖が付けられていることを特徴とする請求項１乃至請求項５のいずれかに記載の断熱用スリーブ。
【発明の詳細な説明】
【技術分野】
【０００１】
本発明は、容器本体の胴部外周面に装着される断熱用スリーブに関する。
【背景技術】
【０００２】
従来、胴部と底部を有する容器本体と、容器本体の胴部外周面に嵌合した断熱用スリーブとを有し、断熱用スリーブには、高さ方向の一定範囲の上下方向に複数の短冊片を形成する複数のスリットが設けられ、断熱用スリーブの短冊片より上部あるいは下部をスライドすることで、複数の短冊片が屈曲または湾曲し、外周部に突出して断熱把持部を形成してなる断熱容器として、本出願人は、人の力などを用いて断熱用スリーブを押し上げたり、押し下げたりすることで短冊片を断熱把持部に変形させる構造を開示する特許第４２９４５７９号（特許文献１）や特許第４３９１９０８号（特許文献２）を提案し、相応の成果を挙げている。【０００３】
これらの断熱容器は、複数の短冊片が屈曲または湾曲し、外周部に突出して断熱把持部を形成した状態で当該突出部分が容器本体から離間していることで、当該突出部分を外部から把持しても持つ手に熱が伝わらないことが重要であり、複数の短冊片が元の形状に戻らないことが求められる。したがって、摩擦や重力により断熱用スリーブのスライド状態を維持するだけでは、強く把持した際に複数の短冊片が元の形状に戻る可能性があり、断熱効果が減少するおそれがあった。また、把持した際に短冊片の突出部分が変形することで、手から滑り落ちる危険性があった。このため、これらの公知の断熱容器においては、短冊片を高さ方向に長く形成してスライド時に不可逆に折り畳まれるようにしたり、複雑な折り目形状として把持した際に可能な限り突出を維持するようにしたり、短冊片の突出を維持するために固定する別途の部材を付加したりするなどの構成を採用して、上記問題点を軽減していた。【０００４】
しかしながら、これらの公知の断熱容器においては、上述したような構造、機構とすることにより、断熱用スリーブを押し上げたり、押し下げたりする動作が大きくなったり、余分な動作を必要とするなど、簡単に断熱把持部を形成することができないという問題があった。また、上述したような構造、機構を設けることにより、製造や組立の手間やコストがかかるという問題があった。【０００５】
そこで、上述した問題を解決する発明として、本出願人は、国際公開ＷＯ２０１２／１６０６８２号（特許文献３）を提案している。この特許文献３の断熱容器５００では、図１０に示すように、複数の短冊片５２１、５２２が、谷折部５２３を上端に有するとともに山折部５２４を上方近辺に有した第１短冊片５２１と、谷折部５２５を下端に有するとともに山折部５２６を下方近辺に有した第２短冊片５２２とを交互に配置して成り、複数のスリット５３０の少なくとも１つが、短冊片５２１、５２２に凸部５２７および凹部５２８を形成するロック形成部（屈曲部）５３１を有しており、断熱用スリーブ５２０の短冊片５２１、５２２より上部あるいは下部をスライドして断熱用スリーブ５２０に断熱把持部を形成した際に、両側部の短冊片５２１、５２２の対向する凸部５２７が上下方向にスライドして互いに乗り越えた状態で係止され、外部から把持しても複数の短冊片５２１、５２２が突出した形状が維持される。
【先行技術文献】
【特許文献】
【０００６】
【特許文献１】特許第４２９４５７９号公報（全頁、全図）
【特許文献２】特許第４３９１９０８号公報（全頁、全図）
【特許文献３】国際公開ＷＯ２０１２／１６０６８２号
【発明の概要】
【発明が解決しようとする課題】
【０００７】
ところが、特許文献３の断熱容器５００では、断熱用スリーブ５２０を上下方向にスライドさせて断熱用スリーブ５２０に断熱把持部を形成する際に、ロック形成部５３１において干渉（予定しない引っ掛かり）が生じ、その結果、ロック形成部５３１に干渉が生じた状態で、断熱用スリーブ５２０をスライドさせることによる力が短冊片５２１、５２２に加わることで、山折部５２４、５２６や谷折部５２３、５２５以外の予定外な箇所（例えば図１０のＡ部分）において折れ曲がり等の変形が生じたり、山折部５２４、５２６や谷折部５２３、５２５において所定方向とは逆側への折れ曲がりが生じることがあるという問題があった。【０００８】
そこで、本発明は、これらの問題点を解決するものであり、ロック形成部における干渉に起因した短冊片の変形を抑制する断熱用スリーブを提供することを目的とする。
【課題を解決するための手段】
【０００９】
本発明は、容器本体の胴部外周面に装着され、高さ方向の一定範囲の上下方向に複数の短冊片を形成する複数のスリットを有し、前記複数の短冊片を屈曲または湾曲させて外周側に突出させることで断熱把持部が形成される断熱用スリーブであって、前記複数の短冊片は、谷折部を上端に有するとともに山折部を上方近辺に有した第１短冊片と、谷折部を下端に有するとともに山折部を下方近辺に有した第２短冊片とを交互に配置して成り、前記スリットの少なくとも１つは、左右の短冊片の山折部の中間領域において、前記短冊片に凸部および凹部を形成するロック形成部を有し、前記各短冊片は、その上下に位置する部位よりも左右の幅を狭く形成された幅狭部を有し、前記山折部は、前記各短冊片の幅狭部に形成されていることにより、前記課題を解決するものである。
【発明の効果】
【００１０】
本請求項１に係る発明によれば、各短冊片に、その上下に隣接する部位よりも左右の幅が狭い幅狭部を設け、この短冊片の幅狭部に山折部を形成することにより、断熱用スリーブを上下方向にスライドさせ断熱把持部を形成する際に、山折部において折れ曲がりが生じ易く、また、短冊片に幅狭部を設けたことで短冊片に捻れ（スリーブ厚み方向への短冊片の傾き）が生じ易くなるため、ロック形成部において干渉が生じた場合であっても当該干渉が解除され易くなり、ロック形成部における干渉に起因した短冊片の変形を抑制することができる。【００１１】
本請求項２に係る発明によれば、山折部の延在方向における左側仮想ラインと右側仮想ラインとの間の寸法よりも山折部の左右の幅を短く形成することにより、山折部における折れ曲がりや短冊片の捻れが生じ易くなる。
本請求項３に係る発明によれば、山折部の左右両端の少なくとも一方に切込部を形成することにより、山折部の連結部の幅が一層狭くなるとともに、断熱用スリーブを上下にスライドさせる際に断熱用スリーブにかかる力が切込部を形成した山折部に集中し易くなるため、山折部における折れ曲がりの確実性を向上できる。
本請求項４に係る発明によれば、短冊片の各部の幅のうち山折部の連結部の幅が最も短く形成されていることにより、短冊片の他の部位と比較して、山折部が折れ曲がり易くなる。
本請求項５に係る発明によれば、ロック形成部を有さないスリットの少なくとも一部分に曲線部が形成されていることにより、各短冊片に、左右の幅を狭く形成された幅狭部を容易に形成することができるばかりでなく、断熱用スリーブを上下にスライドさせ断熱把持部を形成する際に、スリットの曲線部においてスリットの左右両側の短冊片間に横方向の力が生じ、スリット両側の短冊片の対向する凸部が上下方向にスライドして互いに乗り越え易くなるため、ロック形成部における良好な係合を実現することができる。また、短冊片が傾くように突出する際の傾き量や隣接する短冊片の側面が接近あるいは離間する際の量を、曲線部の形状によってさらに細かく調整することができるため、必要とする容器の形態や用途に合わせて、断熱用スリーブの材質や厚さ、短冊片の形状等の設計自由度が増大する。
本請求項６に係る発明によれば、山折部および谷折部の少なくとも一方に折り癖が付けられていることにより、断熱把持部の形成時に、山折部や谷折部において所定方向への折れ曲がりが生じ易くなる。
【図面の簡単な説明】
【００１２】
【図１】本発明の一実施形態である断熱容器を示す側面図。
【図２】断熱用スリーブを示す側面図。
【図３】第１短冊片の上部山折部の幅を説明するための説明図。
【図４】第２短冊片の下部山折部の幅を説明するための説明図。
【図５】断熱用スリーブを展開したブランク材を示す平面図。
【図６】断熱用スリーブに折り癖を付ける際の第１工程を示す説明図。
【図７】断熱用スリーブに折り癖を付ける際の第２工程を示す説明図。
【図８】断熱用スリーブに折り癖を付ける際の第３工程を示す説明図。
【図９】折り癖を付けた後の断熱用スリーブを示す概略図。
【図１０】従来の断熱容器を示す側面図。
【符号の説明】
【００１３】
１００  ・・・  断熱容器
１１０  ・・・  容器本体
１１１  ・・・  胴部
１１３  ・・・  開口部
１１２  ・・・  底部
１２０  ・・・  断熱用スリーブ
１２１  ・・・  第１短冊片
１２２  ・・・  第２短冊片
１２３  ・・・  上部谷折部
１２４  ・・・  上部山折部
１２５  ・・・  下部谷折部
１２６  ・・・  下部山折部
１２７  ・・・  凸部
１２８  ・・・  凹部
１３０  ・・・  スリット
１３１  ・・・  ロック形成部
１３２  ・・・  サイドシーム部
１３３ａ  ・・・  第１左側スリット部
１３３ｂ  ・・・  第１右側スリット部
１３４ａ  ・・・  第１左側接続部
１３４ｂ  ・・・  第１右側接続部
１３５ａ  ・・・  第２左側スリット部
１３５ｂ  ・・・  第２右側スリット部
１３６ａ  ・・・  第２左側接続部
１３６ｂ  ・・・  第２右側接続部
１４０  ・・・  レシーバ
１４１  ・・・  テーパ内周面
１４２  ・・・  型面
１５０  ・・・  インナコア
１５１  ・・・  テーパ外周面
１５２  ・・・  突出部
１６０  ・・・  押上部材
ＬＬ  ・・・  左側仮想ライン
ＲＬ  ・・・  右側仮想ライン
【発明を実施するための形態】
【００１４】
以下に、本発明の一実施形態である断熱容器１００について、図面に基づいて説明する。
【００１５】
断熱容器１００は、図１に示すように、胴部１１１と底部１１２を有した容器本体１１０と、容器本体１１０の胴部１１１の外周面に装着される断熱用スリーブ１２０とから構成されている。
【００１６】
断熱用スリーブ１２０は、紙や樹脂から形成され、容器上方の開口部１１３側でのみ、胴部１１１の外周面に固定（具体的には接着）されており、断熱用スリーブ１２０には、図１に示すように、高さ方向の一定範囲の上下方向に複数の短冊片１２１、１２２を形成する複数のスリット１３０が設けられている。
【００１７】
断熱用スリーブ１２０の最下端は、図１に示すように、容器本体１１０の最下端に対して所定の高さだけ突出しており、断熱用スリーブ１２０は、この高さ分だけ短冊片１２１、１２２を屈曲あるいは湾曲させながら、上方にスライド可能に構成されている。
【００１８】
複数の短冊片１２１、１２２は、図２に示すように、下端に下部谷折部１２５を有し下方近辺に下部山折部１２６を有する第１短冊片１２１と、上端に上部谷折部１２３を有し上方近辺に上部山折部１２４を有する第２短冊片１２２とが周方向に隣接して交互に配置されている。各谷折部１２３、１２５および各山折部１２４、１２６は、直線状に形成されている。短冊片１２１、１２２は、その上下に隣接する部位よりも左右の幅が狭い幅狭部をそれぞれ有し、山折部１２４、１２６は、短冊片１２１、１２２の幅狭部に形成されている。
【００１９】
山折部１２４、１２６は、図２に示すように、上下の部位を連結する連結部１２４ａ、１２６ａと、山折部１２４、１２６の左右両端に形成された切込部１２４ｂ、１２６ｂとを有している。山折部１２４、１２６での折れ曲がり易さおよび山折部１２４、１２６の強度の両面を考慮すると、連結部１２４ａ、１２６ａの幅は、山折部１２４、１２６の幅の１０〜２０％程度に設定するのが良い。また、連結部１２４ａ、１２６ａの位置は山折部１２４、１２６の中央に位置しているのが良い。なお、切込部１２４ｂ、１２６ｂを、山折部１２４、１２６の左右両端のうち一方に形成してもよい。また、連結部１２４ａ、１２６ａの途中に、他の切込部を設けてもよい。
【００２０】
各山折部１２４、１２６の幅Ｗ１は、図３や図４に示すように、各山折部１２４、１２６の延在方向における、左側仮想ラインＬＬと右側仮想ラインＲＬとの間の寸法Ｗ２よりも短く設定されている。
【００２１】
ここで、左側仮想ラインＬＬおよび右側仮想ラインＲＬの規定は、以下の通りである。
まず、短冊片１２１、１２２の左側のスリット１３０は、短冊片１２１、１２２の谷折部１２３、１２５付近に形成された第１左側スリット部１３３ａと、短冊片の谷折部１２３、１２５および第１左側スリット部１３３ａの間を接続する第１左側接続部１３４ａと、前記短冊片１２１、１２２の左側に位置する短冊片１２１、１２２の谷折部１２３、１２５付近に形成された第２左側スリット部１３５ａと、前記短冊片１２１、１２２の左側に位置する短冊片１２１、１２２の谷折部１２３、１２５および第２左側スリット部１３５ａの間を接続する第２左側接続部１３６ａとを有している。
また、同様に、短冊片１２１、１２２の右側のスリットについても、短冊片１２１、１２２の谷折部１２３、１２５付近に形成された第１右側スリット部１３３ｂと、短冊片１２１、１２２の谷折部１２３、１２５および第１右側スリット部１３３ｂの間を接続する第１右側接続部１３４ｂと、前記短冊片１２１、１２２の右側に位置する短冊片１２１、１２２の谷折部１２３、１２５付近に形成された第２右側スリット部１３５ｂと、前記短冊片１２１、１２２の右側に位置する短冊片１２１、１２２の谷折部１２３、１２５および第２右側スリット部１３５ｂの間を接続する第２右側接続部１３６ｂとを有している。
各スリット部１３３ａ、１３３ｂ、１３５ａ、１３５ｂは、図３や図４に示すように、所定の曲率を有した曲線または直線から構成されて略上下方向に沿って延び、曲線から成る接続部１３４ａ、１３４ｂ、１３６ａ、１３６ｂを介して、略左右方向に延びる谷折部１２３、１２５に接続される。なお、接続部１３４ａ、１３４ｂ、１３６ａ、１３６ｂを、直線から構成してもよく、また、直線と曲線とを混じえて構成してもよい。
そして、左側仮想ラインＬＬとは、図３や図４に示すように、第１左側スリット部１３３ａを延長した仮想延長線と短冊片１２１、１２２の谷折部１２３、１２５を延長した仮想延長線との交点と、第２左側スリット部１３５ａを延長した仮想延長線と前記短冊片１２１、１２２の左側に位置する短冊片１２１、１２２の谷折部１２３、１２５を延長した仮想延長線との間の交点とを結んだラインのことである。
また、右側仮想ラインＲＬとは、図３や図４に示すように、第１右側スリット部１３３ｂを延長した仮想延長線と短冊片１２１、１２２の谷折部１２３、１２５を延長した仮想延長線との交点と、第２右側スリット部１３５ｂを延長した仮想延長線と前記短冊片１２１、１２２の右側に位置する短冊片１２１、１２２の谷折部１２３、１２５を延長した仮想延長線との間の交点とを結んだラインのことである。
【００２２】
また、山折部１２４、１２６の連結部１２４ａ、１２６ａの幅は、その山折部１２４、１２６が形成された短冊片１２１、１２２の各部の幅のうち最も短く形成されている。
【００２３】
複数のスリット１３０は、ロック形成部１３１が形成されたものと、ロック形成部１３１が形成されていないものとが、周方向に交互に配されている。スリット１３０のロック形成部１３１は、左右両側の短冊片１２１、１２２の上部山折部１２４と下部山折部１２６の中間部分において、左右両側の短冊片１２１、１２２に凸部１２７および凹部１２８を形成している。本実施形態では、容器を形成した際の正面から見て、第１短冊片１２１の左側と第２短冊片１２２の右側で挟まれたスリット１３０を、ロック形成部１３１を有するスリット１３０としている。
【００２４】
凸部１２７および凹部１２８は、図２に示すように、第２短冊片１２２の上方から、凸部１２７（第１短冊片１２１の凹部１２８）、凹部１２８（第１短冊片１２１の凸部１２７）、凸部１２７（第１短冊片１２１の凹部１２８）、凹部１２８（第１短冊片１２１の凸部１２７）と、上下にそれぞれ交互に２個ずつ形成される。
【００２５】
ロック形成部１３１が形成されていないスリット１３０については、図２に示すように、曲線部から構成されている。なお、ロック形成部１３１が形成されていないスリット１３０を、直線部および曲線部から構成してもよい。
【００２６】
つぎに、断熱用スリーブ１２０の製造方法について、以下に説明する。
【００２７】
まず、図５に示すように、打ち抜き加工によって形成されたブランク材１２０’のサイドシーム部１３２に糊を塗布した後、当該ブランク材１２０’を筒状に巻き、サイドシーム部１３２を圧着することで、図２に示す筒状の断熱用スリーブ１２０を形成する。
【００２８】
次に、図６に示すように、上方に向けて拡径するテーパ内周面１４１を有したレシーバ１４０に断熱用スリーブ１２０をセットし、図７に示すように、上方に向けて拡径するテーパ外周面１５１を有したインナコア１５０を断熱用スリーブ１２０の上方から断熱用スリーブ１２０内に挿入することで、レシーバ１４０に断熱用スリーブ１２０を固定する。
【００２９】
次に、図８に示すように、押上部材１６０によって断熱用スリーブ１２０を押し上げ、断熱用スリーブ１２０の下部を上方に向けてスライドさせることで、図９に示すように、断熱用スリーブ１２０の各谷折部１２３、１２５および各山折部１２４、１２６を所定方向に折り曲げることができる。なお、この際、図６に示すように、レシーバ１４０のテーパ内周面１４１には、断熱用スリーブ１２０の外周側に突出する断熱把持部の形状に対応した形状の型面１４２が形成されており、また、インナコア１５０のテーパ外周面１５１には、外周側に僅かに突出する突出部１５２が形成されていることから、各谷折部１２３、１２５および各山折部１２４、１２６に所定方向の逆側へ折り曲がりを生じることを防止している。また、上記では、谷折部１２３、１２５および山折部１２４、１２６の両方に予め折り癖を付けるものとして説明したが、谷折部１２３、１２５または山折部１２４、１２６のいずれか一方に折り癖を付けてもよい。
【００３０】
なお、本実施形態では、ロック形成部１３１を有するスリット１３０を、円周方向に１つおきに設けたが、断熱用スリーブ１２０が上方にスライドして第１短冊片１２１と第２短冊片１２２が外方に突出した状態を保持することが可能であれば、２つおき等さらに少なく設けてもよく、全てを、ロック形成部１３１を有するスリット１３０としてもよい。
【００３１】
また、上述した実施形態では、断熱用スリーブに断熱把持部を形成する際に、断熱用スリーブの下部を初期状態から上方にスライドさせたが、断熱用スリーブの下端を水平面に載置し、断熱用スリーブの上部あるいは容器本体１１０を押し下げるようにスライドさせてもよい。
【産業上の利用可能性】
【００３２】
本発明の断熱容器は、製造や組立が容易でコストが低減され、簡単な動作で断熱把持部を形成することができるとともに、外部から把持しても短冊片の突出が維持されて断熱効果を確実に維持し、変形することなく確実に把持できるため、熱湯を注いで、または、電子レンジで加熱して飲食するインスタント食品を包装するカップ状の容器として好適に利用できる。また、簡単な操作で意匠上特徴のある外観に変化させることが可能なため、断熱本来の用途に限定されず、種々のカップ状の容器に利用することが可能である。
【図１】
2015133034.tif 000003
【図２】
2015133034.tif 000004
【図３】
2015133034.tif 000005
【図４】
2015133034.tif 000006
【図５】
2015133034.tif 000007
【図６】
2015133034.tif 000008
【図７】
2015133034.tif 000009
【図８】
2015133034.tif 000010
【図９】
2015133034.tif 000011
【図１０】
2015133034.tif 000012
【国際調査報告】
2015133034.tif 000013
2015133034.tif 000014
2015133034.tif 000015
2015133034.tif 000016